(57)【要約】【課題】人により線を切る必要がなく、製造時の時間コストが長く良品率が良くない問題を解決し、構造上において、光が通さない黒い陰がなく、光が漏れることを防止する編織ラダーコードを提供する。【解決手段】第一幅広コード１０および第二幅広コード１２は、それぞれ一つの表側幅広面１０ａ、１２ａおよび一つの裏側幅広面１０ｂ、１２ｂを有する。第一経線および第二経線１６は、それぞれ第一幅広コード１０または第二幅広コード１２の長手方向に沿って、表側幅広面１０ａ、１２ａと裏側幅広面１０ｂ、１２ｂを交互に貫通かつ纏わり、裏側幅広面１０ｂ、１２ｂの一方の側に複数の貫通線が形成されており、貫通線と裏側幅広面の間に一つの隙間が形成されている。緯線１９は、第一経線と第二経線１６の間を行き交い、複数の第一部分、複数の第二部分、および複数の橋状接続部分１８ｃ、１９ｃを有する。【選択図】図４
0003203725.tif 000002
【実用新案登録請求の範囲】
【請求項１】
一つの第一幅広コード、一つの第二幅広コード、一つの第一経線、一つの第二経線、および一つの緯線を備え、
前記第一幅広コードおよび前記第二幅広コードは、それぞれ一つの表側幅広面および一つの裏側幅広面を有し、
前記第一経線および前記第二経線は、それぞれ前記第一幅広コードまたは前記第二幅広コードの長手方向に沿って、前記表側幅広面と前記裏側幅広面とを交互に貫通かつ纏わり、前記裏側幅広面の一方の側に複数の貫通線が形成されており、前記貫通線と前記裏側幅広面の間に一つの隙間が形成されており、
前記緯線は、前記第一経線と前記第二経線の間を行き交い、複数の第一部分、複数の第二部分、および複数の橋状接続部分を有し、複数の前記第一部分が前記第一経線の前記貫通線と前記第一幅広コードの前記裏側幅広面との間を交互に行き交い、複数の前記第二部分が前記第二経線の前記貫通線と前記第二幅広コードの前記裏側幅広面との間を交互に行き交い、複数の前記橋状接続部分の両端が対応する前記第一部分および前記第二部分に接続されていることを特徴とする編織ラダーコード。
【請求項２】
各前記経線は、対応する前記第一幅広コードまたは前記第二幅広コードの前記表側幅広面において、複数のリング状の外側線を形成し、隣り合う前記外側線同士が互いに掛かり合うことを特徴とする請求項１に記載の編織ラダーコード。
【考案の詳細な説明】
【技術分野】
【０００１】
本考案は、編み構造に関し、詳しくは編織ラダーコードに関する。
【背景技術】
【０００２】
従来の織りテープ式のラダーコードは、ブラインドに使用されており、ブラインドのスラットを支持する。通常の織りテープ式のラダーコードは、完成後にコード間の不要な接続線を切る必要がある。よって、製造時の時間コストが高くなり、良品率が良くない。また、ラダーコード１の正面は（図１に示す）、ブラインドのスラットを支持する緯線先部２の織り密度が高いため、光が照射する時に、光が通さない黒い陰が形成され、美観が損なわれる。
【０００３】
特許文献１に記載の「かぎ針で編まれたテープ式のラダーコードの改良」は、織線の両端は、かぎ針で編まれたテープのかぎ針で編む行程により、前後のかぎ針で編まれたテープと一体に結合されている。よって、前後のかぎ針で編まれたテープの間の織線を切ることなく、従来のラダーコードにおける接続線を切る必要がある問題を解決することができる。また、この特許技術は、従来のラダーコードにおける線先部に光が通さない黒い陰が形成する問題を解決することができる。
【０００４】
特許文献１に記載の発明は従来のダダーコードの製造上または構造上の問題を解決した。しかしながら、かぎ針で編む方法で作られたラダーコードは、編み構造３が緩いため、多くの隙間孔３ａが存在する（図２に示す）。よって、ブラインドに適用された場合、光が漏れる恐れがある。よって、従来のラダーコードは改善する必要がある。
【先行技術文献】
【特許文献】
【０００５】
【特許文献１】台湾特許出願第２０１１２１２３４号明細書
【考案の概要】
【考案が解決しようとする課題】
【０００６】
本考案の目的は、人により線を切る必要がなく、製造時の時間コストが長く良品率が良くない問題を解決し、構造上において、光が通さない黒い陰がなく、光が漏れることを防止する編織ラダーコードを提供することにある。
【課題を解決するための手段】
【０００７】
上述の目的を達成するために、本考案の編織ラダーコードは、一つの第一幅広コード、一つの第二幅広コード、一つの第一経線、一つの第二経線、および一つの緯線を備える。第一幅広コードおよび第二幅広コードは、それぞれ一つの表側幅広面および一つの裏側幅広面を有する。第一経線および第二経線は、それぞれ第一幅広コードまたは第二幅広コードの長手方向に沿って、表側幅広面と裏側幅広面を交互に貫通かつ纏わり、裏側幅広面の一方の側に複数の貫通線が形成されており、貫通線と裏側幅広面の間に一つの隙間が形成されている。緯線は、第一経線と第二経線の間を行き交い、複数の第一部分、複数の第二部分、および複数の橋状接続部分を有し、複数の第一部分が第一経線の貫通線と第一幅広コードの裏側幅広面との間を交互に行き交い、複数の第二部分が第二経線の貫通線と第二幅広コードの裏側幅広面との間を交互に行き交い、複数の橋状接続部分の両端が対応する第一部分および第二部分に接続されている。
【０００８】
経線は、対応する第一幅広コードまたは第二幅広コードの表側幅広面において、複数のリング状の外側線を形成し、隣り合う外側線同士が互いに掛かり合う。
【０００９】
本考案の効果は、製造方法が簡単であり、人的コストを節約することができ、美観であり、構造上において光が通さない黒い陰が形成されておらず、光の漏れが発生することを抑制することができ、実用性を有する。
【図面の簡単な説明】
【００１０】
【図１】従来の織りテープ式ラダーコードを示す平面図である。
【図２】他の従来の織りテープ式ラダーコードを示す斜視図である。
【図３】本考案の好ましい実施形態の編織ラダーコードが適用されているブラインドの斜視図を示す。
【図４】図３の要部拡大図である。
【図５】本考案の好ましい実施形態の編織ラダーコードの第一幅広コードの表側の要部を示す平面図である。
【図６】本考案の好ましい実施形態の編織ラダーコードの第一幅広コードの裏側の要部を示す平面図である。
【図７】図６の７−７線断面図である。
【図８】図４と類似し、一方の緯線の編み織り経路を示す図である。
【図９】図８と類似し、他方の緯線の編み織り経路を示す図である。
【考案を実施するための形態】
【００１１】
本考案を詳しく説明するために、図面に基づいて好ましい実施形態を以下のとおり説明する。図３から７に示すように、本考案の好ましい実施形態の編織ラダーコード１００は、ブラインドに適用されており、一つの第一幅広コード１０、一つの第二幅広コード１２、一つの第一経線１４、一つの第二経線１６、及び二つの緯線１８、１９を有する。前述の第一経線１４、第二経線１６、および緯線１８、１９は、実際のニーズに応じて、数を増やすことができる。
【００１２】
第一幅広コード１０及び第二幅広コード１２は長い縞状の織コードであり、緻密に織られており、光が漏れる恐れが有しておらず、ニーズに応じた幅または模様にすることができる。第一幅広コード１０は一つの表側幅広面１０ａおよび一つの裏側幅広面１０ｂを有する。第二幅広コード１２は一つの表側幅広面１２ａおよび一つの裏側幅広面１２ｂを有する。表側幅広面は、編織ラダーコード１００が使用された時、人の目がみられる面を言い、裏側幅広面は、第一幅広コード１０と第二幅広コード１２とが互いに対向している面を言う。
【００１３】
第一経線１４および第二経線１６は同じ編織方法で作られておりそれぞれ第一幅広コード１０および第二幅広コード１２に縫い付けられている。以下、第一経線１４を第一幅広コード１０に縫い付けることについて説明する。第一経線１４は規則的な縫い付け経路により、第一幅広コード１０の長手方向に沿って、表側幅広面１０ａおよび裏側幅広面１０ｂを交互に貫通かつ纏わることにより形成される。図５に示すように、第一経線１４は、表側幅広面１０ａの外側線１４ａがリング状を形成する。これらの外側線１４ａは隣り合う外側線１４ａ同士が互いに掛かり合い、以下、第一リング鎖という。図６、７に示すように、第一経線１４は、裏側幅広面１０ｂの一方の側に、同じ方向に傾斜している貫通線１４ｂが複数形成されている。貫通線１４ｂと裏側幅広面１０ｂの間に一つの隙間Ｓが形成されている。同様に、第二経線１６は、第二幅広コード１２の表側幅広面１２ａおよび裏側幅広面１２ｂの表側に現れている線が第一経線１４と同じである。すなわち、同じように、外側線、貫通線、および、隙間を有する（図に示されていない）。第二経線１６の外側線は一つの第二リング鎖を形成する。
【００１４】
二つの緯線１８、１９は、編織方法により第一経線１４および第二経線１６を縫い付けると同時に第一経線１４と第二経線１６の間を行き交う。図４、６、８に示すように、緯線１８は、Ｓ線経路で第一幅広コード１０の長手方向に沿って、第一経線１４の裏側幅広面１０ｂの一方の側に形成されている各貫通線１４ｂの隙間Ｓの間を交互に行き交い、所定距離絡まった後に跨がり、第二経線１６の裏側幅広面１２ｂの一方の側に形成されている各貫通線の隙間の間を交互に貫通且つ纏わる。同様に、所定距離絡まった後に第一経線１４に跨がり、貫通且つ纏わる。これにより、編織が終わるまで繰り返して複数回交互に貫通且つ纏わる。他方の緯線１９（図９に示す）は、まず、第二幅広コード１２の長手方向に沿って第二経線１６を交互に行き交い、その後、第一経線１４に跨がり貫通且つ纏わり、再び、第二経線１６に跨がり第二経線１６を貫通且つ纏わる。
【００１５】
二つの緯線１８、１９において、第一経線１４を交互に貫通かつ纏わる部分を第一部分１８ａ（１９ａ）と定義し、第二経線１６を交互に貫通かつ纏わる部分を第二部分１８ｂ（１９ｂ）と定義し、第一経線１４と第二経線１６の間を跨がる部分を橋状接続部分１８ｃ（１９ｃ）と定義する。橋状接続部分１８ｃ（１９ｃ）の両端はそれぞれ対応する第一部分１８ａ（１９ａ）および第二部分１８ｂ（１９ｂ）に接続されている。橋状接続部分１８ｃ（１９ｃ）はブラインドのスラットＬを支持するのに用いられる。
【００１６】
最終の編織ラダーコード１００では、緯線１８、１９は、貫通線と裏側幅広面１０ｂ（または裏側幅広面１２ｂ）の間に形成されている隙間Ｓを通り、貫通線により縛られ、裏側幅広面１０ｂ（または裏側幅広面１２ｂ）に安定的に固定される。言い換えると、本実施形態の緯線１８、１９は各幅広コードの裏側に隠れており現れていない。
【００１７】
本実施形態の編織ラダーコード１００は、編み織り構造が緻密な第一幅広コード１０および第二幅広コード１２を有する。よって、光が漏れる恐れがない。第一経線１４および第二経線１６は、編み織り方法により、対応する幅広コードに縫い付けられており、貫通線が緯線１８、１９を縛るとともに、緯線１８、１９が通る貫通線の部位の編み織り緻密度が変わらない用にする。よって、幅広コードの表側幅広面１０ａ、１２ａには、隣り合うリング同士が掛け合っている第一リング鎖および第二リング鎖しか見えず、光の照射により形成される光が通さない連続的な黒陰が存在しない。第一経線１４、第二経線１６、および二つの緯線１８、１９は、編み織り方法により第一幅広コード１０および第二幅広コード１２に縫い付けられており、橋状接続部分１８ｃ（１９ｃ）がスラット２００を支持する時、第一幅広コード１０および第二幅広コード１２は作用力により小さい孔又は変形が発生することなく、スラット２００の閉合効果が優れている。よって、本考案は実用性が優れている。
【００１８】
上述した内容は本考案の好ましい実施形態にすぎず、本考案の明細書および実用新案登録請求の範囲を用いた同じ効果を有する変化は本考案の範囲内に含まれる。
【符号の説明】
【００１９】
１００  編織ラダーコード
１０  第一幅広コード
１０ａ  表側幅広面
１０ｂ  裏側幅広面
１２  第二幅広コード
１２ａ  表側幅広面
１２ｂ  裏側幅広面
１４  第一経線
１４ａ  外側線
１４ｂ  貫通線
１６  第二経線
１８  緯線
１８ａ  第一部分
１８ｂ  第二部分
１８ｃ  橋状接続部分
１９  緯線
１９ａ  第一部分
１９ｂ  第二部分
１９ｃ  橋状接続部分
Ｌ  スラット
Ｓ  隙間
【図１】
0003203725.tif 000003
【図２】
0003203725.tif 000004
【図３】
0003203725.tif 000005
【図４】
0003203725.tif 000006
【図５】
0003203725.tif 000007
【図６】
0003203725.tif 000008
【図７】
0003203725.tif 000009
【図８】
0003203725.tif 000010
【図９】
0003203725.tif 000011